(57)【特許請求の範囲】
【請求項１】
電子部品を収容する筐体と、
回転軸方向に空気を吐出または吸い込んで前記筐体の内部に冷却風を送風させる冷却ファンと、
一端が前記電子部品に接続され、他端が前記冷却ファンに接続されたリード線と、
前記リード線の前記一端と前記他端との間に設けられた中継コネクタと、を有し、
前記筐体は、
前記冷却ファンの前記回転軸方向における一方側の端面が突き当たる突き当たり部を有しており、
前記中継コネクタは、
前記冷却ファンの前記回転軸方向に略垂直な方向の側面に対向するように、前記突き当たり部よりも前記回転軸方向における他方側に配置されている
ことを特徴とする電子機器。
【請求項２】
電子部品を収容する筐体と、
回転軸方向に空気を吐出または吸い込んで前記筐体の内部に冷却風を送風させる冷却ファンと、
前記筐体に形成され、前記冷却ファンを収容するファン収容部と、
一端が前記電子部品に接続され、他端が前記冷却ファンに接続されたリード線と、
前記リード線の前記一端と前記他端との間に設けられた中継コネクタと、
前記ファン収容部において、収容された前記冷却ファンの前記回転軸方向に略垂直な方向の側面に対向するように形成され、前記中継コネクタを収容するコネクタ収容部と、
を有し、
前記ファン収容部は、
収容された前記冷却ファンの前記回転軸方向における一方側の端面が突き当たる突き当たり部を有しており、
前記コネクタ収容部は、
前記ファン収容部において、前記突き当たり部よりも前記回転軸方向における他方側に形成されている
ことを特徴とする電子機器。
【請求項３】
前記ファン収容部から前記回転軸方向に沿って延設され、前記冷却ファンにより前記冷却風が送風される風洞部と、
前記風洞部に対して前記回転軸方向に垂直な方向に隣接して配置され、前記電子部品が収容される本体部と、をさらに有し、
前記コネクタ収容部は、
前記ファン収容部において、収容された前記冷却ファンの前記本体部側の前記側面に対向するように形成されている
ことを特徴とする請求項２に記載の電子機器。
【請求項４】
前記ファン収容部において、収容された前記冷却ファンの前記本体部とは反対側の側面と対向する壁面から突出して形成され、前記ファン収容部の内部側における突出高さが前記ファン収容部の入口側における突出高さよりも高くなるように形成されたガイド突起部をさらに有する
ことを特徴とする請求項３に記載の電子機器。
【請求項５】
前記冷却ファンの前記本体部とは反対側の前記側面が前記ガイド突起部に当接し、前記冷却ファンの前記回転軸方向における一方側の前記端面が前記突き当たり部に突き当たった状態において、前記冷却ファンの前記端面に形成された位置決め穴部に嵌合される、前記突き当たり部に形成された位置決め突起部をさらに有する
ことを特徴とする請求項４に記載の電子機器。
【請求項６】
前記ファン収容部において、前記コネクタ収容部に接続するように形成され、前記中継コネクタよりも前記電子部品側の前記リード線の少なくとも一部を収容するガイド溝部をさらに有する
ことを特徴とする請求項２乃至５のいずれか１項に記載の電子機器。
【請求項７】
モータを制御するモータ制御装置である
ことを特徴とする請求項１乃至６のいずれか１項に記載の電子機器。
【請求項８】
電子部品を収容する筐体と、
回転軸方向に空気を吐出または吸い込んで前記筐体の内部に冷却風を送風させる冷却ファンと、
前記筐体に設けられ、前記冷却ファンの前記回転軸方向における一方側の端面が突き当たる突き当たり部と、
を有する電子機器のメンテナンス方法であって、
前記筐体から前記冷却ファンを取り出すことと、
一端が前記電子部品に接続され他端が前記冷却ファンに接続されたリード線の前記一端と前記他端との間に設けられ、前記筐体に収容されたときの前記冷却ファンの前記回転軸方向に略垂直な方向の側面に対向するように且つ前記突き当たり部よりも前記回転軸方向における他方側に配置された中継コネクタを、前記筐体から取り出すことと、
前記中継コネクタを着脱して前記冷却ファンのメンテナンスを行うことと、
前記中継コネクタを前記筐体に収容されたときの前記冷却ファンの前記側面に対向し且つ前記突き当たり部よりも前記他方側に配置されるように前記筐体に収容することと、
前記冷却ファンを前記筐体に収容することと、
を有することを特徴とする電子機器のメンテナンス方法。
【発明の詳細な説明】
【技術分野】
【０００１】
開示の実施形態は、電子機器及び電子機器のメンテナンス方法に関する。
【背景技術】
【０００２】
特許文献１には、電力変換装置が記載されている。この電力変換装置は、電力変換装置本体部と、電力変換装置本体部の収納部に配置される冷却ファンと、冷却ファンを電力変換装置本体部の収納部に取り付けるための取付部材と、取付部材に取り付けられ、冷却ファンのリード線を冷却ファンの羽根部から保護するための保護部材とを備える。冷却ファンのリード線の先端には、電力変換装置本体部から延びる電力供給線と接続するためのコネクタ部が設けられている。
【先行技術文献】
【特許文献】
【０００３】
【特許文献１】特開２０１８−１９６１６０号公報
【発明の概要】
【発明が解決しようとする課題】
【０００４】
上記従来技術の電力変換装置では、コネクタ部に冷却ファンの冷却風が当たるため、コネクタ部に故障が生じる可能性があり、特に、例えば油や塵埃等を含む雰囲気下での使用の場合、冷却風に油や塵埃等が含まれることとなり、コネクタ部に故障が生じやすくなる等、信頼性の低下を招くという課題があった。
【０００５】
本発明はこのような問題点に鑑みてなされたものであり、信頼性を向上することができる電子機器及び電子機器のメンテナンス方法を提供することを目的とする。
【課題を解決するための手段】
【０００６】
上記課題を解決するため、本発明の一の観点によれば、電子部品を収容する筐体と、回転軸方向に空気を吐出または吸い込んで前記筐体の内部に冷却風を送風させる冷却ファンと、一端が前記電子部品に接続され、他端が前記冷却ファンに接続されたリード線と、前記リード線の前記一端と前記他端との間に設けられた中継コネクタと、を有し、前記冷却ファンの前記回転軸方向に略垂直な方向の側面に対向するように、前記中継コネクタは配置される電子機器が適用される。
【０００７】
また、本発明の別の観点によれば、電子部品を収容する筐体と、回転軸方向に空気を吐出または吸い込んで前記筐体の内部に冷却風を送風させる冷却ファンと、を有する電子機器のメンテナンス方法であって、前記筐体から前記冷却ファンを取り出すことと、一端が前記電子部品に接続され他端が前記冷却ファンに接続されたリード線の前記一端と前記他端との間に設けられ、前記筐体に収容されたときの前記冷却ファンの前記回転軸方向に略垂直な方向の側面に対向するように配置された中継コネクタを、前記筐体から取り出すことと、前記中継コネクタを着脱して前記冷却ファンのメンテナンスを行うことと、前記中継コネクタを前記筐体に収容されたときの前記冷却ファンの前記側面に対向して配置されるように前記筐体に収容することと、前記冷却ファンを前記筐体に収容することと、を有する電子機器のメンテナンス方法が適用される。
【発明の効果】
【０００８】
本発明の電子機器等によれば、信頼性を向上することができる。
【図面の簡単な説明】
【０００９】
【図１】モータ制御装置の全体構成の一例を表す斜視図である。
【図２】モータ制御装置の上カバー及びファンカバーをはずした状態の一例を表す分解斜視図である。
【図３】冷却ファンをファン収容部から取り出した状態の一例を表す右上方向から見た分解斜視図である。
【図４】冷却ファンをファン収容部から取り出した状態の一例を表す左上方向から見た分解斜視図である。
【図５】コネクタ収容部の構成の一例を拡大して表す拡大図である。
【図６】モータ制御装置の冷却ファンのメンテナンス手順の一例を表す斜視図である。
【図７】モータ制御装置の冷却ファンのメンテナンス手順の一例を表す斜視図である。
【図８】モータ制御装置の冷却ファンのメンテナンス手順の一例を表す斜視図である。
【図９】モータ制御装置の冷却ファンのメンテナンス手順の一例を表す斜視図である。
【図１０】モータ制御装置の冷却ファンのメンテナンス手順の一例を表す斜視図である。
【発明を実施するための形態】
【００１０】
以下、一実施の形態について図面を参照しつつ説明する。本実施形態では、電子機器の一例として、モータを制御するモータ制御装置について説明するが、電子機器をモータ制御装置に限定するものではない。また、モータ制御装置の構成の説明の便宜上、上下左右前後等の方向を適宜使用する場合があるが、各構成の位置関係を限定するものではない。
【００１１】
＜１．モータ制御装置の全体構成＞
まず、図１及び図２を参照しつつ、本実施形態に係るモータ制御装置の全体構成の一例について説明する。図１は、モータ制御装置の全体構成の一例を表す斜視図であり、図２は、モータ制御装置の上カバー及びファンカバーをはずした状態の一例を表す分解斜視図である。
【００１２】
図１及び図２に示すように、モータ制御装置１（電子機器の一例）は、筐体３と、電子部品５と、冷却ファン７と、ファンカバー９とを有する。筐体３は、略直方体形状であり、上カバー１１と、下カバー１３と、ヒートシンク１５とを有する。
【００１３】
上カバー１１は、例えば樹脂製であり、ヒートシンク１５の上側を覆うように配置されている。上カバー１１は、上板部１７と、前板部１９と、後板部２１とを有する。前板部１９には、冷却ファン７が収容されるファン収容部３５の上端の一部を構成する切欠き２３が設けられている。後板部２１には、冷却ファン７により送風される冷却風の吐出口を構成する複数のスリット２５が設けられている。下カバー１３は、例えば樹脂製であり、ヒートシンク１５の下側を覆うように配置されている。
【００１４】
ヒートシンク１５は、熱伝導性の高い材料（例えばアルミ合金等）で構成されており、上カバー１１と下カバー１３に挟まれるように配置されている。ヒートシンク１５は、ベース板部２６（図４参照）と、右板部２７と、前板部２９と、左板部３１と、後板部３３（図示せず）とを有する。前板部２９には、冷却ファン７が収容されるファン収容部３５が設けられている。ファン収容部３５は、冷却ファン７と同様の形状に形成された凹部である。ファン収容部３５の後方には、風洞部３７が冷却ファン７の回転軸ＡＸ方向に沿って延設されている。風洞部３７は、一対の隔壁３９，４１と、ベース板部２６と、上カバー１１等により囲まれた空間である。風洞部３７の内部には、複数（例えば３つ）のフィン４２が回転軸ＡＸ方向に沿って立設されており、冷却ファン７により冷却風が送風される。
【００１５】
風洞部３７の左側（回転軸方向に垂直な方向の一例）には、本体部４３が隣接して配置されている。本体部４３は、筐体３の内部空間のうち、ファン収容部３５及び風洞部３７よりも左側に位置する空間であり、複数の電子部品５が収容されている。複数の電子部品５には、例えば電子回路基板、コネクタ、配線等が含まれる。本実施形態では、第１基板４５と第２基板４７が上下方向に２段となるように配置されている。図示は省略するが、第１基板４５及び第２基板４７には、例えば、交流電源から供給される交流電力を直流電力に変換するコンバータ、直流電力を交流電力に変換してモータに供給するインバータ、インバータによる電力変換を制御してモータを制御する制御回路、外部機器との通信を行う通信回路等を構成する各種の電子回路部品が設けられている。第１基板４５は、複数のねじ４９によりヒートシンク１５の基板支持部５１に固定されている。同様に、第２基板４７は、複数のねじ（図示省略）によりヒートシンク１５の基板支持部（図示省略）に固定されている。
【００１６】
風洞部３７の右側には、部品収容部５３が隣接して配置されている。部品収容部５３は、筐体３の内部空間のうち、ファン収容部３５及び風洞部３７よりも右側に位置する空間である。部品収容部５３には、本体部４３に収容できなかった電子部品、例えば電解コンデンサ５５等が収容されている。
【００１７】
冷却ファン７は、ファン筐体５６の内部に回転軸ＡＸ周りに回転する羽根車（図示せず）を備えた軸流ファンであり、回転軸ＡＸ方向に空気を吐出または吸い込んで風洞部３７に冷却風を送風させる。本実施形態では、冷却ファン７は前側から空気を吸い込んで後側へ吐出する。なお、反対に後側から空気を吸い込んで前側へ吐出する構成としてもよい。冷却ファン７には、第２基板４７からリード線５７を介して電力が供給される。なお、冷却ファン７は、交流電源で動くＡＣファン、直流電源で動くＤＣファン、交流電源でＤＣファンと同じ動作をするＡＣＤＣファンのいずれでもよい。
【００１８】
ファンカバー９は、例えば樹脂製であり、ファン収容部３５の開口形状に対応した略四角形状に形成されている。ファンカバー９には、複数の開口で構成された冷却風の吸込口５９が設けられている。ファンカバー９は、左右両側にそれぞれ突出片６１を有する。ヒートシンク１５の前板部２９には、ファン収容部３５の左右両側にそれぞれ突出片６１が嵌合する凹部６３が設けられている。凹部６３にはねじ穴６５が設けられており、突出片６１にはねじ穴６５に対応する位置に貫通穴６７が設けられている。ファンカバー９は、突出片６１を凹部６３に嵌合させつつファン収容部３５に収容され、ねじ６８（図１参照）が貫通穴６７を介してねじ穴６５に締結されることで、筐体３に固定される。ファンカバー９が固定されることにより、冷却ファン７もファン収容部３５に固定される。
【００１９】
なお、上述したモータ制御装置１の構成は一例であり、上述の内容に限定されるものではない。例えば、以上では筐体３を３つに分割する構成としたが、例えば２つに分割する構成や、４つ以上に分割する構成としてもよい。また、上カバー１１、下カバー１３、ファンカバー９の少なくとも１つをヒートシンク１５と同じように熱伝導性の高い材料で構成してもよいし、筐体３の全部を樹脂で構成してもよい。また、例えば本体部４３にほぼ全ての電子部品を配置可能である場合には、部品収容部５３を設けずに、風洞部３７を筐体３の端部に配置した構成としてもよい。また、ファンカバー９を設けずに、後述するファン筐体５６の位置決め穴部７３（図３、図４参照）に挿通した固定ボルト等により、冷却ファン７を直接筐体３に固定する構造としてもよい。
【００２０】
＜２．ファン収容部、コネクタ収容部の構成＞
次に、図３〜図５を参照しつつ、ファン収容部及びコネクタ収容部の構成の一例について説明する。図３は、冷却ファンをファン収容部から取り出した状態の一例を表す右上方向から見た分解斜視図、図４は、冷却ファンをファン収容部から取り出した状態の一例を表す左上方向から見た分解斜視図、図５は、コネクタ収容部の構成の一例を拡大して表す拡大図である。
【００２１】
図３及び図４に示すように、冷却ファン７のファン筐体５６は、回転軸ＡＸ方向から見た形状が略正方形状で回転軸ＡＸ方向に所定の厚みを有する略直方体状に形成された、例えば樹脂製のケースである。ファン筐体５６は、回転軸ＡＸ方向における一方側の端面５６ａ及び他方側の端面５６ｂと、回転軸ＡＸ方向に略垂直な方向側に位置する４つの側面５６ｃ，５６ｄ，５６ｅ，５６ｆとを有する。冷却ファン７に電源を供給するためのリード線５７は、一端が第２基板４７（電子部品の一例）に接続され、他端が例えば側面５６ｆに接続されている。なお、リード線は複数本で構成されているが、１本のリード線５７として簡略化して図示している。本実施形態では、冷却ファン７は、例えば端面５６ａが後側、端面５６ｂが前側、側面５６ｃ，５６ｄ，５６ｅ，５６ｆがそれぞれ上側、右側、下側、左側を向くように、ファン収容部３５に収容されている。なお、本体部４３はファン収容部３５の左側に位置することから、ファン筐体５６の側面５６ｆは本体部４３側の側面、側面５６ｄは本体部４３とは反対側の側面とも言うことができる。
【００２２】
ファン収容部３５は、前方から見た形状が冷却ファン７よりも若干大きな寸法の略正方形状の凹部として形成されている。ファン収容部３５の前後方向の奥行きの寸法ｄは、ファン筐体５６及びファンカバー９の前後方向の厚みの合計に略等しくなっている。ファン収容部３５の奥側には、ファン筐体５６の後側の端面５６ａが突き当たる突き当たり部６９が設けられている。突き当たり部６９は、前方から見た形状が略Ｕ字型形状であり、ファン収容部３５の後側の壁面を構成する。突き当たり部６９の前面には、複数（例えば２つ）の位置決め突起部７１が設けられている。位置決め突起部７１が、ファン筐体５６の四隅に前後方向に貫通して設けられた位置決め穴部７３のうちの下側の２つの位置決め穴部７３にそれぞれ嵌合することにより、冷却ファン７が位置決めされる。なお、位置決め突起部７１の数は１つでもよいし、３つ以上としてもよい。
【００２３】
図４に示すように、ファン収容部３５の右側の壁面７５、すなわち冷却ファン７が収容された際にファン筐体５６の右側の側面５６ｄと対向する壁面７５には、ガイド突起部７７が設けられている。ガイド突起部７７は、壁面７５から突出して形成され、ファン収容部３５の内部側（すなわち後側）における突出高さがファン収容部３５の入口側（すなわち前側）における突出高さよりも高くなるように形成されている。これにより、冷却ファン７をファン収容部３５に収容する際に、ガイド突起部７７が冷却ファン７の側面５６ｄに対して当接し、冷却ファン７が左側（本体部４３側）に寄るようにガイドされて位置決めされる。なお、本実施形態では、ガイド突起部７７は上下方向に複数（例えば２つ）設けられているが、１つでもよいし、３つ以上としてもよい。
【００２４】
図３及び図５に示すように、リード線５７の第２基板４７に接続される一端と冷却ファン７に接続される他端の間には、中継コネクタ７９が設けられている。中継コネクタ７９は、第２基板４７側の第１コネクタ７９ａと、冷却ファン７側の第２コネクタ７９ｂとを有する。第１コネクタ７９ａと第２コネクタ７９ｂとが着脱されることにより、冷却ファン７の交換、修理、清掃等のメンテナンスを行うことができる。
【００２５】
ファン収容部３５の左側の壁面８１、すなわち冷却ファン７が収容された際にファン筐体５６の左側の側面５６ｆと対向する壁面８１には、中継コネクタ７９を収容するコネクタ収容部８３が設けられている。コネクタ収容部８３は、ファン収容部３５において、収容された冷却ファン７の側面５６ｆに対向するように、且つ、突き当たり部６９よりも前側（回転軸ＡＸ方向における他方側）に位置するように設けられている。これにより、コネクタ収容部８３に収容された中継コネクタ７９は、ファン収容部３５に収容された冷却ファン７の側面５６ｆに対向するように、且つ、突き当たり部６９よりも前側（回転軸ＡＸ方向における他方側）に配置される。
【００２６】
図５に示すように、コネクタ収容部８３は、右側から見た形状が中継コネクタ７９よりも一回り大きな寸法の略長方形状の凹部として形成されている。なお、コネクタ収容部８３の一部又は全部が、ファン収容部３５と本体部４３とを連通する貫通穴として形成されてもよい。コネクタ収容部８３の左右方向の奥行きの寸法は、中継コネクタ７９と共に折りたたまれたリード線５７の少なくとも一部を収容可能なように、中継コネクタ７９の左右方向の厚みよりも大きくなっている。なお、コネクタ収容部８３は中継コネクタ７９のみ（中継コネクタ７９の一部でもよい）を収容し、リード線５７はファン収容部３５と冷却ファン７との隙間に収容されてもよい。
【００２７】
ファン収容部３５の壁面８１には、コネクタ収容部８３の上側に、当該コネクタ収容部８３に接続するようにガイド溝部８５が設けられている。ガイド溝部８５は上下方向に沿って延設されており、中継コネクタ７９よりも第２基板４７側のリード線５７、すなわち第２基板４７と第１コネクタ７９ａとの間のリード線５７のコネクタ側の一部を収容する。壁面８１の上端には、ガイド溝部８５の上端に連通するように切欠き部８７が設けられている。リード線５７は、切欠き部８７を介して本体部４３側からファン収容部３５側に導入され、ガイド溝部８５によりコネクタ収容部８３に向けてガイドされる。第１基板４５は、切欠き部８７に挿通されたリード線５７の上部に下側の面が接触又は近接する高さに設置されている。これにより、リード線５７は、切欠き部８７により下側から支持されると共に第１基板４５により上側から押さえられて挟持され、配線の乱れやバタつき、振動等が抑制される。
【００２８】
なお、上述した冷却ファン７の収容構成は一例であり、上述の内容に限定されるものではない。例えば、以上ではリード線５７の配線長さを短縮できるように、リード線５７を接続した側面５６ｆがコネクタ収容部８３側である左側を向くように冷却ファン７を収容したが、これに限られない。例えば、側面５６ｆが下側、上側、あるいは右側を向くように冷却ファン７を収容してもよい。この場合、リード線５７をファン収容部３５の内部でファン筐体５６との隙間を這わせるように配線することにより、突き当たり部６９の前側で配線することができ、リード線５７や中継コネクタ７９に冷却風が当たることを防止できる。
【００２９】
また、以上ではファン筐体５６の端面５６ａが後側、端面５６ｂが前側を向くように冷却ファン７を収容したが、反対に端面５６ａが前側、端面５６ｂが後側を向くように冷却ファン７を収容してもよい。この場合、送風方向が反対になり、冷却ファン７は後側から空気を吸い込んで前側へ吐出する。
【００３０】
＜３．冷却ファンのメンテナンス方法＞
次に、図６〜図１０を参照しつつ、モータ制御装置１の冷却ファン７のメンテナンス方法の一例について説明する。図６〜図１０は、モータ制御装置１の冷却ファン７のメンテナンス手順の一例を表す斜視図である。
【００３１】
図６に、モータ制御装置１の通常の使用状態を示す。通常の使用状態では、ファンカバー９が筐体３に固定されている。この状態からねじ６８が緩められ、図７に示すように、ファンカバー９が筐体３から取り外される。これにより、冷却ファン７が露出される。
【００３２】
次に、図８に示すように、冷却ファン７が筐体３のファン収容部３５から取り出される。図８に示す例では、中継コネクタ７９がコネクタ収容部８３に収容された状態で、第２コネクタ７９ｂと冷却ファン７の間のリード線５７の折りたたみがコネクタ収容部８３から引き出されている。
【００３３】
次に、図９に示すように、第２コネクタ７９ｂと冷却ファン７の間のリード線５７の折りたたみが引き伸ばされると共に、中継コネクタ７９がコネクタ収容部８３から取り出される。これにより、中継コネクタ７９を筐体３の外部に取り出すと共に、冷却ファン７を筐体３からさらに引き出すことができる。
【００３４】
次に、図１０に示すように、中継コネクタ７９の第１コネクタ７９ａから第２コネクタ７９ｂが取り外され、冷却ファン７の交換、修理、清掃等のメンテナンスが行われる。
【００３５】
冷却ファン７のメンテナンスが終了した後は、上記と反対の手順が行われる。すなわち、図１０に示す状態から、図９に示すように、中継コネクタ７９の第２コネクタ７９ｂが第１コネクタ７９ａに装着される。次に、図８に示すように、第１コネクタ７９ａと第２基板４７の間のリード線５７がガイド溝部８５に収容されると共に、中継コネクタ７９がコネクタ収容部８３に収容される。次に、第２コネクタ７９ｂと冷却ファン７の間のリード線５７が折りたたまれてコネクタ収容部８３に収容されると共に、図７に示すように冷却ファン７が筐体３のファン収容部３５に収容される。このとき、ガイド突起部７７が冷却ファン７の右側の側面５６ｄに対して当接し、冷却ファン７が左側（本体部４３側）に寄るようにガイドされる。また、冷却ファン７の後側の端面５６ａが突き当たり部６９に突き当たった際に、突き当たり部６９に形成された位置決め突起部７１が冷却ファン７の位置決め穴部７３に嵌合し、冷却ファン７が位置決めされる。その後、図６に示すように、ねじ６８によりファンカバー９が筐体３に固定される。
【００３６】
なお、上述した冷却ファン７のメンテナンス手順は一例であり、上述の内容に限定されるものではない。例えば、中継コネクタ７９の第１コネクタ７９ａと第２コネクタ７９ｂとを取り外す必要がないような場合には、図８に示すように、中継コネクタ７９がコネクタ収容部８３に収容された状態で、冷却ファン７のメンテナンスを行ってもよい。
【００３７】
＜４．実施形態の効果＞
以上説明したように、本実施形態のモータ制御装置１は、電子部品５を収容する筐体３と、回転軸ＡＸ方向に空気を吐出または吸い込んで筐体３の内部に冷却風を送風させる冷却ファン７と、一端が電子部品５（上記実施形態では第２基板４７）に接続され、他端が冷却ファン７に接続されたリード線５７と、リード線５７の一端と他端との間に設けられた中継コネクタ７９とを有し、冷却ファン７の回転軸ＡＸ方向に略垂直な方向の側面５６ｆに対向するように、中継コネクタ７９が配置される。
【００３８】
冷却ファン７が軸流ファンであることから、中継コネクタ７９を冷却ファン７の側面５６ｆに対向するように配置することにより、中継コネクタ７９に冷却風が当たることを防止でき、中継コネクタ７９に故障が生じることを抑制できる。したがって、モータ制御装置１の信頼性を向上することができる。特に、例えば油や塵埃等を含む雰囲気下でモータ制御装置１を使用する場合には、筐体３の内部に送風される冷却風に油や塵埃等が含まれることとなり、中継コネクタ７９に故障が生じやすくなるため、本実施形態の構成が有効である。
【００３９】
なお、冷却風が当たる位置（例えば突き当たり部６９よりも後側）に配置された中継コネクタ７９に対し、例えばゴムチューブ状のカバーを装着することにより、中継コネクタ７９に冷却風が直接当たることを防止する構成も考えられる。しかしながら、この場合には冷却ファン７のメンテナンスの度にカバーの着脱が必要となり作業性が低下する。さらに、カバーに対しては冷却風が当たることから、リード線とカバーとの隙間から例えば油や塵埃等が浸入する可能性もある。本実施形態では、リード線５７及び中継コネクタ７９を冷却風が当たらない位置に配置することができるので、メンテナンスの作業性を低下させることなく、信頼性を向上することができる。
【００４０】
また、本実施形態では特に、筐体３は、冷却ファン７の回転軸ＡＸ方向における一方側（後側）の端面５６ａが突き当たる突き当たり部６９を有しており、中継コネクタ７９は、突き当たり部６９よりも回転軸ＡＸ方向における他方側（前側）に配置されている。
【００４１】
このような構造では、冷却ファン７から吐出された冷却風は突き当たり部６９よりも後側において送風され、突き当たり部６９よりも前側では、ファン筐体５６の内側に冷却風が流れ、ファン筐体５６の外側には冷却風はほぼ流れない。したがって、中継コネクタ７９を突き当たり部６９よりも前側に配置することにより、中継コネクタ７９に冷却風が当たることを防止する効果をより高めることができる。
【００４２】
また、本実施形態のモータ制御装置１は、電子部品５を収容する筐体３と、回転軸ＡＸ方向に空気を吐出または吸い込んで筐体３の内部に冷却風を送風させる冷却ファン７と、筐体３に形成され、冷却ファン７を収容するファン収容部３５と、一端が電子部品５（上記実施形態では第２基板４７）に接続され、他端が冷却ファン７に接続されたリード線５７と、リード線５７の一端と他端との間に設けられた中継コネクタ７９と、ファン収容部３５において、収容された冷却ファン７の回転軸ＡＸ方向に略垂直な方向の側面５６ｆに対向するように形成され、中継コネクタ７９を収容するコネクタ収容部８３と、を有する。
【００４３】
本実施形態では、中継コネクタ７９が、ファン収容部３５に収容された冷却ファン７の側面５６ｆに対向するように形成されたコネクタ収容部８３に収容されている。中継コネクタ７９をこのように配置することにより、冷却ファン７が軸流ファンであることから、中継コネクタ７９に冷却風が当たることを防止でき、中継コネクタ７９に故障が生じることを抑制できる。したがって、モータ制御装置１の信頼性を向上することができる。特に、例えば油や塵埃等を含む雰囲気下でモータ制御装置１を使用する場合には、筐体３の内部に送風される冷却風に油や塵埃等が含まれることとなり、中継コネクタ７９に故障が生じやすくなるため、本実施形態の構成が有効である。
【００４４】
また、本実施形態では特に、ファン収容部３５は、収容された冷却ファン７の回転軸ＡＸ方向における一方側（後側）の端面５６ａが突き当たる突き当たり部６９を有しており、コネクタ収容部８３は、ファン収容部３５において、突き当たり部６９よりも回転軸ＡＸ方向における他方側（前側）に形成されている。
【００４５】
本実施形態では、冷却ファン７は、後側の端面５６ａを突き当たり部６９に突き当てて、ファン収容部３５に収容されている。このような構造では、冷却ファン７から吐出された冷却風は突き当たり部６９よりも後側において送風され、突き当たり部６９よりも前側では、ファン筐体５６の内側に冷却風が流れ、ファン筐体５６の外側には冷却風はほぼ流れない。したがって、コネクタ収容部８３をファン収容部３５において突き当たり部６９よりも前側に形成ことにより、中継コネクタ７９に冷却風が当たることを防止する効果をより高めることができる。
【００４６】
また、本実施形態では特に、ファン収容部３５から回転軸ＡＸ方向に沿って延設され、冷却ファン７により冷却風が送風される風洞部３７と、風洞部３７に対して回転軸ＡＸ方向に垂直な方向（上記実施形態では左側）に隣接して配置され、電子部品５が収容される本体部４３と、をさらに有し、コネクタ収容部８３は、ファン収容部３５において、収容された冷却ファン７の本体部４３側の側面５６ｆに対向するように形成されている。
【００４７】
リード線５７は、本体部４３に収容された電子部品５（上記実施形態では第２基板４７）と冷却ファン７との間に配線されている。このため、中継コネクタ７９を収容するコネクタ収容部８３をファン収容部３５の本体部４３側に形成することにより、リード線５７の配線長さを短くすることができる。また、リード線５７が冷却風の流路を横切って配線されることを防止できるので、信頼性をさらに向上できる。
【００４８】
また、本実施形態では特に、モータ制御装置１は、ファン収容部３５において、収容された冷却ファン７の本体部４３とは反対側の側面５６ｄと対向する壁面７５から突出して形成され、ファン収容部３５の内部側における突出高さがファン収容部３５の入口側における突出高さよりも高くなるように形成されたガイド突起部７７をさらに有する。
【００４９】
本実施形態では、冷却ファン７がファン収容部３５に収容される際に、ガイド突起部７７が冷却ファン７の側面５６ｄに対して当接し、冷却ファン７が本体部４３側に寄るようにガイドされて位置決めされる。したがって、冷却ファン７のメンテナンス作業が容易となる。また、冷却ファン７を中継コネクタ７９が収容されたコネクタ収容部８３側に寄せて押しつけることができるので、中継コネクタ７９や折りたたまれたリード線５７がコネクタ収容部８３からはみ出すのを防止でき、配線の収まりを良くすることができる。
【００５０】
また、本実施形態では特に、モータ制御装置１は、冷却ファン７の本体部４３とは反対側の側面５６ｄがガイド突起部７７に当接し、冷却ファン７の後側の端面５６ａが突き当たり部６９に突き当たった状態において、冷却ファン７の端面５６ａに形成された位置決め穴部７３に嵌合される、突き当たり部６９に形成された位置決め突起部７１をさらに有する。
【００５１】
本実施形態では、冷却ファン７をファン収容部３５に収容して端面５６ａを突き当たり部６９に突き当てた際に、突き当たり部６９に形成された位置決め突起部７１が冷却ファン７の位置決め穴部７３に嵌合し、冷却ファン７が位置決めされる。これにより、冷却ファン７のメンテナンスを行った作業者は、位置決めされた状態で冷却ファン７の固定（上記実施形態ではファンカバー９による固定）を行うことが可能となるので、メンテナンスの作業性をさらに向上できる。
【００５２】
また、本実施形態では特に、モータ制御装置１は、ファン収容部３５において、コネクタ収容部８３に接続するように形成され、中継コネクタ７９よりも電子部品５（上記実施形態では第２基板４７）側のリード線５７の少なくとも一部を収容するガイド溝部８５をさらに有する。
【００５３】
本実施形態では、中継コネクタ７９をコネクタ収容部８３に収容する際に、第２基板４７と中継コネクタ７９との間のリード線５７がガイド溝部８５に収容されて配線方向をガイドされる。これにより、リード線５７の乱れが防止されて捌きやすくなり、メンテナンスの作業性を向上できる。また、冷却ファン７をファン収容部３５から取り出しメンテナンスを行う際にリード線５７が引き出される長さを、ガイド溝部８５の上端部から冷却ファン７までの範囲に規制することができる。これにより、リード線５７が無駄に長く引き出されることを抑制できるので、冷却ファン７を収容する際のリード線５７の捌きや収まりを良くすることができる。したがって、メンテナンスの作業性をさらに向上できる。
【００５４】
また、本実施形態では特に、電子機器の一例として、モータを制御するモータ制御装置１に上記内容を適用する。これにより、中継コネクタ７９に故障が生じることを抑制でき、信頼性を向上することができるモータ制御装置を実現できる。
【００５５】
また、本実施形態では特に、第１基板４５や第２基板４７を取り外さずに冷却ファン７のメンテナンスを行うことができる。これにより、第１基板４５や第２基板４７を取り外した場合に必要な試運転や調整が不要となり、メンテナンス作業が容易となる。
【００５６】
＜５．変形例＞
なお、開示の実施形態は、上記に限られるものではなく、その趣旨及び技術的思想を逸脱しない範囲内で種々の変形が可能である。
【００５７】
例えば、上記実施形態ではファン収容部３５に中継コネクタ７９を収容するコネクタ収容部８３を設けた構成としたが、必ずしもコネクタ収容部８３のような凹部又は穴部を設けなくてもよい。例えばファン収容部３５とファン筐体５６との隙間に、冷却ファン７の側面５６ｃ，５６ｄ，５６ｅ，５６ｆのいずれかに対向するように中継コネクタ７９を配置した構成としてもよい。
【００５８】
また、上記実施形態では筐体３（ヒートシンク１５の前板部２９）に冷却ファン７を収容するファン収容部３５を設けた構成としたが、必ずしもファン収容部３５のような凹部を設けなくてもよい。例えば冷却ファン７を筐体３の外部に突き出るように固定してもよい。この場合、例えば冷却ファン７を覆うカバーによって固定してもよいし、ファン筐体５６の位置決め穴部７３に挿通した固定ボルト等により、冷却ファン７を直接筐体３に固定する構造としてもよい。
【００５９】
また、上記実施形態ではファン収容部３５に対して前方から冷却ファン７を出し入れする構造としたが、ファン収容部３５に対して上方又は下方から冷却ファン７を出し入れする構造としてもよい。この場合、例えばヒートシンク１５に対して上カバー１１又は下カバー１３を取り外し、ファン収容部３５に対して上方又は下方に冷却ファン７をスライドさせて取り外し可能な構成とすればよい。
【００６０】
また以上では、電子機器がモータ制御装置である場合を一例として説明したが、以上説明した内容をモータ以外の機械を制御する制御装置に適用してもよい。また、制御装置でなくとも、冷却ファン、リード線及び中継コネクタを備えた電子機器であれば、種類を問わず適用可能である。
【００６１】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００６２】
また、以上の説明において、外観上の寸法や大きさ、形状、位置等が「同一（同じ）」「等しい」「異なる」等の記載がある場合は、当該記載は厳密な意味ではない。すなわち、それら「同一（同じ）」「等しい」「異なる」とは、設計上、製造上の公差、誤差が許容され、「実質的に同一（同じ）」「実質的に等しい」「実質的に異なる」という意味である。
【００６３】
また、以上既に述べた以外にも、上記実施形態や各変形例による手法を適宜組み合わせて利用しても良い。その他、一々例示はしないが、上記実施形態や各変形例は、その趣旨を逸脱しない範囲内において、種々の変更が加えられて実施されるものである。
【符号の説明】
【００６４】
１            モータ制御装置（電子機器）
３            筐体
５            電子部品
７            冷却ファン
３５          ファン収容部
３７          風洞部
４３          本体部
４７          第２基板（電子部品）
５６ａ        端面（回転軸方向における一方側の端面）
５６ｂ        端面
５６ｃ        側面
５６ｄ        側面（本体部とは反対側の側面）
５６ｅ        側面
５６ｆ        側面（本体部側の側面）
５７          リード線
６９          突き当たり部
７１          位置決め突起部
７３          位置決め穴部
７５          壁面
７７          ガイド突起部
７９          中継コネクタ
８３          コネクタ収容部
８５          ガイド溝部
ＡＸ          回転軸
【要約】
【課題】冷却ファンの冷却風が中継コネクタに当たることを防止することで信頼性を向上する。
【解決手段】モータ制御装置１は、第１基板４５及び第２基板４７等の電子部品５を収容する筐体３と、回転軸ＡＸ方向に空気を吐出または吸い込んで筐体３の内部に冷却風を送風させる冷却ファン７と、一端が第２基板４７に接続され、他端が冷却ファン７に接続されたリード線５７と、リード線５７の一端と他端との間に設けられた中継コネクタ７９とを有し、冷却ファン７の回転軸ＡＸ方向に略垂直な方向の側面５６ｆに対向するように中継コネクタ７９が配置される。
【選択図】図３【図１】
0006967195.tif 000002
【図２】
0006967195.tif 000003
【図３】
0006967195.tif 000004
【図４】
0006967195.tif 000005
【図５】
0006967195.tif 000006
【図６】
0006967195.tif 000007
【図７】
0006967195.tif 000008
【図８】
0006967195.tif 000009
【図９】
0006967195.tif 000010
【図１０】
0006967195.tif 000011